(57)【要約】【課題】  本考案は、健常者・病床者・要介護者が枕を使用するに当たり、横臥・仰臥によって枕高さを変えたい、枕の傾きを変えたい、頭部受け面に凹みを設けたい、この様な時に簡単な操作でその加減調節等を行い、更に病床者等に対して介護者等が、ご当人の頭部を持ち上げなくともその加減調節等が行える、枕使用者がフイット感を感じ得る枕の構造にする。【解決手段】  本考案は、枕の外装側面に設置の回転つまみ３２を回すことにより、連結されたシャフトが回転し、シャフトホール（孔）に通された細いロープ等６２がシャフトに巻き付き、枕表面１２、裏面１６の外装に縫い付けられているロープ等の先端が引き寄せられ、延いては枕の高さＨが低くなり、枕表面に凹みが出来、回転つまみを逆に回すと枕表面の高さが復元され、元の高さに戻る、いわゆる枕の高さ調整・調節をなし、更には枕の頭部受け面に利用者好みの凹みも作り得る構造であり、この構造を４箇所等設け、これを簡単に操作することにより、枕使用者がフイット感を感じ得る枕である。【選択図】    図１
0003134386.tif 000002
【実用新案登録請求の範囲】
【請求項１】
枕の外装側面に設置の回転つまみを回すことにより、枕内部で連結されたシャフトが回転し、シャフト中程のシャフトホール（孔）に通されたロープ（或いはワイヤー）がシャフトに巻つき枕表裏の各４箇所（或いは数箇所）等が引き寄せられ、枕の厚さが圧縮され、延いては枕高さは低くなり、回転つまみを逆に回すと内部は拡張し、枕高さは高くなり、枕の高さ調整・調節をなし、更には枕の頭部受け面に、利用者好みの凹みを作り得る構造とした枕。
【請求項２】
請求項１の４箇所等の高さ調節等の操作を、それぞれ個別に操作し得る構造とした枕。
【請求項３】
枕内部に設置の、接続された左右２本のシャフトが離反せず、且つ、互いに異なる回転を可能としたシャフト接続クリップを使用する構造とした枕。
【考案の詳細な説明】
【技術分野】
【０００１】
本考案は、枕の高さ調整・調節・枕面に凹みを作ることに関するものである。
【背景技術】
【０００２】
枕は、健常者はもとより、病床者、要介護者等の休息或いは睡眠時に欠かせない日常生活の寝具用品である。旧来の枕の素材は、そば殻が好まれたこともあったが、昨今においては低反発を含んだ素材の製品が好評であり、好みの枕を探し求める人は数多い。これまでも幾種かの高さ調節枕の考案はあったが、簡単な操作で調節加減が出来る、平素の日常生活に馴染む等、高さ等調節の枕の普及には至ってない。
【０００３】
高さ調節枕として、特許文献１の様に、枕のファスナーを開け枕の中身を足して、高さ調節を考案した例があるが、この考案は、中身を出したり、入れたり等で、その作業や中身の保管も煩わしいものである。他に特許文献２，３は一見、自動車用ジャッキ風のＸ型骨組みを操作して、上部プレートを上に押し上げるタイプの枕である。これらは全体が嵩張り、ゴツゴツとした、更にはクッション性も乏しく手軽に使用できる枕とは見受けられない。
【特許文献１】登録実用新案  第３０５３７２６号
【特許文献２】登録実用新案  第３０８１５３４号
【特許文献３】特許公開平    ９−２７６１０８号
【考案の開示】
【考案が解決しようとする課題】
【０００４】
枕を使用する者一人ひとりは、体型・骨格等が千差万別の個人差があり、更に同一人でも横臥・仰臥によっても枕高さや傾きを変えたいことがある。また、枕上の頭部の安定が悪く頭部が、枕からずり落ちそうになることもある。更に病床者・要介護者に対しては、時として、枕の当たり加減や傾きを、静かに変えたい事がる。従来は、介護者等がその都度、枕使用者の頭部を、わざわざ持ち上げて枕のすげ替えを行っていたものであり、身体にフィットしない状態で枕を使用する事も多かった。
【課題を解決するための手段】
【０００５】
前記課題を解決するため、請求項１に記載の考案は、枕Ｐの外装側面に設置の回転つまみ３１，３２，３３，３４，を回すことにより、連結されたシャフト４１，４２，４３，４４が回転し、シャフト中程のシャフトホール（孔）５１，５２，５３，５４に通された細いロープ、或いはワイヤー（以降ロープ等と表現）６１，６２，６３，６４がシャフトに巻き付き、枕表面、裏面の外装に縫い付けられているロープ等の先端縫い付け面１１−１５，１２−１６，１３−１７，１４−１８が互いに引き寄せられ、延いては枕の高さＨ１が低くなり、１１−１５等には枕表面に凹みが出来る構造である。（シャフトには孔を設けず、ロープ等をシャフトに固定するも同じ効果である）枕内部は、内装のクッション材やコイルバネを設置しているもので、１１−１５，１２−１６，１３−１７，１４−１８間等は、圧縮状態になる。
【０００６】
回転つまみを逆に回わすと１１−１５，１２−１６，１３−１７，１４−１８間にはコイルバネ等の反発作用を受ける等して、１１−１５等は拡張され、延いては枕の高さＨが高くなり、高さ加減が復元され、１１−１５等の枕表面の凹みが浅くなる。
【０００７】
請求項２の考案は、前記請求項１で説明の通り、回転つまみを回すことにより１１−１５，１２−１６，１３−１７，１４−１８間の４箇所において、圧縮作用反発作用をなし得るものであるが、この作用は請求項３のシャフト接続クリップ９１をシャフト４１とシャフト４２に、シャフト接続クリップ９２をシャフト４２とシャフト４４にそれぞれ取り付け、前記４箇所の圧縮・反発作用を個別に操作し得る構造としたものである。
【０００８】
請求項３の考案は、頭頂部の太い「釘頭状」（図２拡大図４１，４３参照）或いは「国旗等のポール先端状」のシャフト２本（４１−４３と４２−４４のそれぞれ２本）に対し、その頭頂部に接続クリップを組み込み、シャフトを頭合わせに繋留した「シャフト接続クリップの構造」である。シャフトがお互いに離反せず、更にはシャフトの回転力は伝えない構造の「シャフト接続クリップの構造」である。この接続クリップは、金属或いはプラスチック製の「２個のＣ型状のピンの胴体を橋渡し状に繋いだ構造」のものである。（図２拡大図９１参照）
【０００９】
前記０００６の「枕内、コイルバネ等の反発作用については、７１，７２，７３，７４のコイルバネの他、枕内にはクッション、反発材としてスポンジや他のコイルバネを適宜使用するも可能であるが、７１等のコイルバネの反発性が他より勝る構造が当該枕に適している。
【００１０】
前記０００７の「ロープ先端部１１等の枕の表面に縫い付けられている状況」は枕の表面にボタン等を重ねて縫い付けるも製品補強となる。
【考案の効果】
【００１１】
本考案は、枕内に於いては、ロープ等の巻き上げに、シャフトを使用する構造であるが、このシャフトの素材は金属或いは樹脂系の強靱且つ、たわみながらも屈曲等の原状回復力の優れた材質を使用するもので、製品の枕本体に柔軟性があり、既に考案されている高さ調節等の枕に比べ、嵩張ることも、ゴツゴツとしたことも無く、従来の一般的な枕と同様感覚で使用できる。また当該枕は、表裏、上下、左右が対象でこれも一般的な枕と同様である。高さ調節等可能な枕としての機能を有しながら更には、低照度場所での使用や、低視力の人の使用も容易であり、一般家庭にある枕と同様に使用出来ることに効果を奏するものである。
【考案を実施するための最良の形態】
【００１２】
次に、本考案に係る枕につき、好適な実施例を挙げ、添付図面を参照しながら、以下に説明する。
【実施例】
【００１３】
図１は、好適実施例に係る枕Ｐの外見全体の斜視図、図２は枕Ｐの外装上部部分を取り除いた状況での平面図、図３は、枕Ｐを横向きに置き、コイルバネ７２等が伸び、枕高さＨが高くなった状況の正面からの断面図であり、図４は、コイルバネ７２等が縮まり、枕高さＨが低くなった状況の正面からの断面図である。
【００１４】
図１は、枕本体Ｐの外装を表現したもので、枕Ｐの左右側面にプレート２１，２２を取り付けている。このプレートには各２箇所に、回転つまみ３１，３２，３３，３４の合計４箇所を設けている。枕Ｐの表面中程には枕内から出されてきたロープ等の縫い付け面（ボタン付けも可能）が１１，１２，１３，１４の４箇所あり、破線で示すとおりロープ等は１１−１５，１２−１６，１３−１７，１４−１８等の様に枕の裏面に達しており、枕の表裏はロープ等６１，６２，６３，６４で繋がった状況である。したがって、１１−１５，１２−１６，１３−１７，１４−１８等が連動されているのである。
【００１５】
図２は、枕Ｐの外装上部部分を取り除いた状況での平面図で、左右の両側面にプレート２１，２２が取り付けられており、そのプレート２１には回転つまみ３１，３２の２個、プレート２２には、回転つまみ３３，３４の２個が取り付けられている。
【００１６】
枕内には回転シャフト４１，４２，４３，４４があり、このシャフト末端はナット８１，８２，８３，８４のネジ山を通過して、プレートの孔に至り、シャフト末端は更に外側の回転つまみのネジ山に達している。したがってナットと回転つまみの、締め付けは、プレートを挟みながらの締め付けを行う構造としている。締め付けトルクが軽過ぎると、頭部の重さが勝り枕高さは沈んで低くなり、締め付けトルクが重すぎると、回転つまみが重すぎる事になるので適度な締め付け加減が要求される（締め付けナットには、締め付け時に緩急力加減（コツンコツンとした抵抗感）を伴う「波状形ワッシャ」の使用も効果がある。
【００１７】
シャフトの反対側頭頂部は釘頭頂状或いは国旗ポール等の様に先端が太く、シャフト接続用クリップ９１，９２を組み込み、左右のシャフトは繋がれている。拡大斜視図ではクリップを取り外した状況を示している。頭合わせの、２本のシャフト頭頂部にクリップを組み込む事により、この２本のシャフトはお互いが離反せず、且つ、異なる回転を可能とした構造となっている。
【００１８】
図３は、枕Ｐを横向きに置き、コイルバネ７２等が伸び、枕高さＨが高くなった状況の正面からの断面図である。枕内において縦に置かれた４本のコイルバネ７１，７２，７３，７４に対しシャフト４本がそれぞれコイルバネの胴体部を横に貫いており、また、シャフト孔にロープ等が通った状況は拡大斜視図で示す通りである。
【００１９】
図４は、図３の７２等のコイルバネが伸びて枕高さＨが高い状況から変化させて、低い状況になった状況図である。回転つまみ３２等を回すことにより、シャフト４２等のシャフトも回転し、シャフト孔に通っているロープ等６２等がシャフトに巻き付きロープ等の外装縫い付け面が、次第に枕の中心部に引き寄せられ、延いては枕高さＨが低くなりロープ縫い付け面１２等は凹みとなるものである。他の回転つまみを任意に回すことで、それぞれのロープ等縫い付け面の箇所において、異なる高さ調節や凹み加減が出来るものである。
【図面の簡単な説明】
【００２０】
【図１】実施例に係る枕の全体斜視図である。
【図２】枕Ｐの外装上部部分を取り除いた状況での平面図とシャフトクリップ付近の拡大斜視図である。
【図３】コイルバネが伸び、枕高さＨ１が高くなった状況の正面からの断面図とシャフト孔にロープ等が通った状況の拡大斜視図である。
【図４】コイルバネ等が縮まり、枕高さＨ２が低くなった状況の正面からの断面図である。
【符号の説明】
【００２１】
Ｐ  枕本体
Ｈ  枕高さ
１１  ロープ等の外装縫い付け面
２１  枕側面のプレート
３１  回転つまみ
４１  回転シャフト
５１  シャフトホール（孔）
６１  ロープ等
７１  コイルバネ
８１  締め付けナット
９１  シャフトクリップ
【図１】
0003134386.tif 000003
【図２】
0003134386.tif 000004
【図３】
0003134386.tif 000005
【図４】
0003134386.tif 000006
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
枕の外装側面に設置の回転つまみを回すことにより、回転つまみの延長上にあるシャフトが、枕内部で回転つまみと同方向に回転し、シャフト中程のシャフトホールに通されたロープ或いはワイヤーがシャフトに巻つき、この時、枕の表裏４箇所或いは複数箇所のロープ或いはワイヤーの先端は外装縫い付け面に縫い付けられていることから、縫い付け面も枕内部に引き寄せられることになり、枕の表裏面が互いに接近、圧縮され、延いては枕高さは低くなり、次に、回転つまみを逆に回すと枕内部は復元作用で枕の表裏へと拡張し、枕高さは高くなり、その回転・逆回転の動作で枕の高さ調整・調節をなし、更には、枕高さを低くした時には、枕の頭部受け面に、利用者好みの凹みも作り得る構造とした枕。
【請求項２】
請求項１の４箇所或いは複数箇所の高さ調整・調節の操作を、それぞれ個別に操作得る構造を特徴とする請求項１記載の枕。
【請求項３】
枕内部に設置の、軸方向に接続された左右２本のシャフトの頭頂部が分離・離反せず、且つ、左右のシャフトは互いに異なる回転を可能としたシャフト接続クリップを使用する構造を特徴とする請求項１記載の枕。